(57)【特許請求の範囲】
【請求項１】
天面が開いたプラスチックフイルム製の直方体状の袋１の底面に、２本のプラスチックテープの中央部を連結した十文字状の結束テープを載置し、プラスチックフイルム製の直方体状の袋１の４個の側面の上部に設けられた貫通穴４に、前記十文字状の結束テープの４本の端部を貫通させてなる古紙回収用整理袋において、前記２本のプラスチックテープの中央部を連結した十文字状の結束テープが、４組のミシン目が四隅に形成された直方体袋を形成したのち、該ミシン目から袋の四隅を除去して形成されるものであって、該４組のミシン目が四隅に形成された直方体袋は、両側縁６にガゼット部７を有し、下縁が幅方向に直線状に溶着されて下縁溶着線８が形成され、ガゼット部フイルム９と袋表面フイルム１０の各１対毎に、下縁溶着線８とガゼット部フイルム９の折り目との交点のガゼット内折り端１１から、袋両側縁に達する傾斜溶着線１２を形成し、かつ、袋両側縁のガゼット部フイルム９の折り込み幅より袋体の側縁からの幅が狭く、袋体の側縁に対する平行線上の位置において、各２枚の袋表面フイルム１０とガゼット部フイルム９を貫通し、袋上縁より袋下縁に達する１対の直線状のミシン目１３が設けられ、古紙収納時に袋上縁より縁底面に達する４組のミシン目が四隅に形成されるものであり、前記２本のプラスチックテープの中央部を連結した十文字状の結束テープが４組のミシン目が四隅に形成された直方体袋に古紙収納後に該ミシン目において切断して、四隅の切除部１５を除去することにより、収納された古紙を結束する十文字状のテープが直方体状の袋１の側面に形成されることを特徴とする古紙回収用整理袋。
【請求項２】
天面が開いたプラスチックフイルム製の直方体状の袋１の底面に、２本のプラスチックテープの中央部を連結した十文字状の結束テープを載置し、プラスチックフイルム製の直方体状の袋１の４個の側面の上部に設けられた貫通穴４に、前記十文字状の結束テープの４本の端部を貫通させてなる古紙回収用整理袋において、前記２本のプラスチックテープの中央部を連結した十文字状の結束テープが、１対の重合されたプラスチック結束テープａと、該１対の結束テープａの両側縁１８の間に挟持された１対のＶ字形折りのプラスチック結束テープｂが、折り畳まれた状態でその下縁において幅方向に溶着され、折り畳みを開いた状態では十文字状となるプラスチック結束テープであって、１対のプラスチック結束テープａと１対のプラスチック結束テープｂがその下縁において結束テープの幅方向に溶着され、下縁溶着線によって４枚の結束テープが結合し、下縁溶着線より各結束テープの側縁に達する傾斜溶着線により、各１枚のプラスチック結束テープａとプラスチック結束テープｂが溶着されてなるテープであることを特徴とする古紙回収用整理袋。
【発明の詳細な説明】
【０００１】
【発明の属する技術分野】
本発明は、古紙回収整理袋に関する。さらに詳しくは、本発明は、古紙収納時には長方形の底面を有する袋形状をなし、袋の形状保持性が良好で古紙をきれいに整理して収納することができ、１束として回収すべき古紙の適量を容易に判断することができ、古紙収納後に２本のプラスチック結束テープにより古紙を結束した状態とすることができる古紙回収整理袋に関する。
【０００２】
【従来の技術】
新聞、チラシ、雑誌などの古紙の回収と再利用は、パルプ原木資源の節約と国内外の森林資源の温存につながる。また、古紙を回収し再利用することにより、固形廃棄物としての自治体によるゴミ収集と処理への負担を軽減することができる。古紙の利用は、パルプの代替として経済的に有利であるばかりでなく、資源環境問題への寄与が大きい。このために、各家庭からの新聞などの古紙の回収が積極的に進められている。
回収された古紙は、古紙集荷段階において選別が行われる。この工程は人手に頼らざるを得ないが、以後の機械的処理や古紙パルプの品質への影響が大きい。従来、新聞、チラシ、雑誌などの古紙は、紙袋又はプラスチックフイルム製の袋に収納され、各家庭より回収されていた。しかし、古紙を選別するためには、いったん袋から取り出す必要があり、多くの手間がかかっていた。このために、古紙回収業者より、袋に収納した状態でなく、紐でしばった状態で各家庭より古紙を提供してほしいという要望が出されるようになった。紐でしばった状態であれば、紐を切断することにより、容易に選別可能な状態とすることができる。しかし、一般家庭において、古紙を紐でしばった状態で提供することは、それほど簡単なことではない。読了後の新聞は、不規則に折り畳まれた状態となりやすく、さらにチラシや雑誌が加わると、紐でしばっているうちに崩れて、安定して持ち運びできるように結束することは容易ではない。
このために、新聞古紙、古雑誌、段ボール屑などを、容易にまとめてテープで結束した状態とすることができる古紙回収袋が求められていた。本発明者は、このような要求に応えて、袋上縁より袋底面に達する４組のミシン目を有し、袋に古紙を積み重ねて収納した後に、ミシン目において袋側面フイルムを切断することにより、一対のミシン目の間にある袋側面フイルムの切除部を除去し、切除部の取り外し後に残存する袋側面フイルムが、収納された古紙を結束するテープとなるように形成されたプラスチックフイルム製の古紙回収袋を発明した。この古紙回収袋は、その経済性と利便性が高く評価され、広く使用されるようになったが、同時に、古紙回収後に発生する切除部をも有効に利用して、環境への負荷をいっそう軽減したいという要望が寄せられるようになった。
【０００３】
【発明が解決しようとする課題】
本発明は、古紙収納時には長方形の底面を有する袋形状をなし、袋の形状保持性が良好で古紙をきれいに整理して収納することができ、１束として回収すべき古紙の適量を容易に判断することができ、古紙収納後に２本のプラスチック結束テープにより古紙を結束した状態とすることができる古紙回収整理袋を提供することを目的としてなされたものである。
【０００４】
【課題を解決するための手段】
本発明者は、上記の課題を解決すべく鋭意研究を重ねた結果、天面が開いたプラスチックフイルム製の直方体状の袋と２本のプラスチック結束テープを組み合わせ、直方体状の袋の４個の側面の上部に穴を明け、２本のプラスチック結束テープを袋底面において十文字状に直交するように載置し、２本のプラスチック結束テープの各端末を袋側面の上部の穴を貫通させることにより、古紙をきれいに整理して収納することができ、袋が古紙で満たされた状態になったとき、２本のプラスチック結束テープにより古紙を結束し、袋から抜き出して、古紙をテープで結束した状態で回収業者に寄託し得ることを見いだし、この知見に基づいて本発明を完成するに至った。
すなわち、本発明は、
（１）天面が開いたプラスチックフイルム製の直方体状の袋１の底面に、２本のプラスチックテープの中央部を連結した十文字状の結束テープを載置し、プラスチックフイルム製の直方体状の袋１の４個の側面の上部に設けられた貫通穴４に、前記十文字状の結束テープの４本の端部を貫通させてなる古紙回収用整理袋において、前記２本のプラスチックテープの中央部を連結した十文字状の結束テープが、４組のミシン目が四隅に形成された直方体袋を形成したのち、該ミシン目から袋の四隅を除去して形成されるものであって、該４組のミシン目が四隅に形成された直方体袋は、両側縁６にガゼット部７を有し、下縁が幅方向に直線状に溶着されて下縁溶着線８が形成され、ガゼット部フイルム９と袋表面フイルム１０の各１対毎に、下縁溶着線８とガゼット部フイルム９の折り目との交点のガゼット内折り端１１から、袋両側縁に達する傾斜溶着線１２を形成し、かつ、袋両側縁のガゼット部フイルム９の折り込み幅より袋体の側縁からの幅が狭く、袋体の側縁に対する平行線上の位置において、各２枚の袋表面フイルム１０とガゼット部フイルム９を貫通し、袋上縁より袋下縁に達する１対の直線状のミシン目１３が設けられ、古紙収納時に袋上縁より縁底面に達する４組のミシン目が四隅に形成されるものであり、前記２本のプラスチックテープの中央部を連結した十文字状の結束テープが４組のミシン目が四隅に形成された直方体袋に古紙収納後に該ミシン目において切断して、四隅の切除部１５を除去することにより、収納された古紙を結束する十文字状のテープが直方体状の袋１の側面に形成されることを特徴とする古紙回収用整理袋、及び、
（２）天面が開いたプラスチックフイルム製の直方体状の袋１の底面に、２本のプラスチックテープの中央部を連結した十文字状の結束テープを載置し、プラスチックフイルム製の直方体状の袋１の４個の側面の上部に設けられた貫通穴４に、前記十文字状の結束テープの４本の端部を貫通させてなる古紙回収用整理袋において、前記２本のプラスチックテープの中央部を連結した十文字状の結束テープが、１対の重合されたプラスチック結束テープａと、該１対の結束テープａの両側縁１８の間に挟持された１対のＶ字形折りのプラスチック結束テープｂが、折り畳まれた状態でその下縁において幅方向に溶着され、折り畳みを開いた状態では十文字状となるプラスチック結束テープであって、１対のプラスチック  結束テープａと１対のプラスチック結束テープｂがその下縁において結束テープの幅方向に溶着され、下縁溶着線によって４枚の結束テープが結合し、下縁溶着線より各結束テープの側縁に達する傾斜溶着線により、各１枚のプラスチック結束テープａとプラスチック結束テープｂが溶着されてなるテープであることを特徴とする古紙回収用整理袋、
を提供するものである。
【０００５】
【発明の実施の形態】
図１(ａ)は、本発明の古紙回収用整理袋の一態様の斜視図であり、図１(ｂ)は、その平面図であり、図１(ｃ)は、古紙を収納した状態を示す斜視図であり、図１(ｄ)は、古紙を結束した状態を示す斜視図である。本発明の古紙回収用整理袋は、天面が開いたプラスチックフイルム製の直方体状の袋１と、２本のプラスチック結束テープ２及び３を組み合わせてなる整理袋である。２本のプラスチック結束テープ２及び３は、直方体状の袋１の底面において十文字状に直交するように載置され、２本のプラスチック結束テープの各端末は、直方体状の袋の各側面の上部に設けられた穴４を、袋の内側から外側に向けて貫通する。
本発明の古紙回収用整理袋は、図１(ａ)に示すように、２本のプラスチック結束テープを袋の底面において十文字状に直交するように載置し、テープの各端末を袋の４個の側面の上部に設けた穴に貫通させ、袋に古紙を収納する。図１(ｃ)に示すように、古紙回収用整理袋が古紙５で満たされた状態となったとき、プラスチック結束テープの端末を袋側面上部の穴から抜き取り、収納された古紙の上面で十文字状に結束し、結束された古紙を古紙回収用整理袋から取り出す。古紙を取り出した古紙回収用整理袋は、新たに２本のプラスチック結束テープを載置し、その端末を袋側面上部の穴に貫通させることにより、反復使用することができるので、環境に与える負荷が小さく、経済性にも優れている。結束された古紙は、図１(ｄ)に示すように、古紙回収用整理袋の形状に沿った整理された形となり、古紙回収用整理袋の深さに対応する量となっているので、見た目がよく、取り扱いも容易である。
本発明の古紙回収用整理袋に使用するプラスチックフイルムに特に制限はなく、例えば、低密度ポリエチレン、高密度ポリエチレン、線状低密度ポリエチレン、ポリプロピレンなどを挙げることができる。プラスチックフイルムの厚さに特に制限はないが、３０〜１００μｍであることが好ましく、５０〜８０μｍであることがより好ましい。本発明の古紙回収用整理袋の寸法に特に制限はなく、収納する古紙の種類に応じて適宜選択することができる。新聞古紙の回収に使用する場合は、底面の長辺と短辺が、それぞれ３０〜３４cm程度と、２４〜２６cm程度であることが好ましく、深さが１８〜２４cm程度であることが好ましい。
【０００６】
本発明の古紙回収用整理袋に用いるプラスチック結束テープとして、本発明者により先に発明された古紙回収袋の切除部を好適に用いることができる。図２(ａ)は、該古紙回収袋の一態様の畳まれた状態を示す側面図であり、図２(ｂ)は、図２(ａ)のＡ−Ａ線切断部端面図であり、図２(ｃ)は、その開かれた状態を示す斜視図であり、図２(ｄ)は、その切除部を示す平面図である。本態様の古紙回収袋は、両側縁６にガゼット部７を有し、下縁が幅方向に直線状に溶着されて下縁溶着線８が形成され、ガゼット部フイルム９と袋表面フイルム１０の各１対が、袋下縁のガゼット内折り端１１から、袋両側縁に斜方向に溶着されて傾斜溶着線１２が形成されている。また、２枚の袋表面フイルムと２枚のガゼット部フイルムの合計４枚のフイルムを貫通し、袋上縁より縁下縁に達する１対の直線状のミシン目１３が設けられている。このミシン目は、図２(ｂ)の一点鎖線Ｂの位置に設けられている。
本態様の古紙回収袋を開くと、傾斜溶着線１２と側縁６の交点１４が、袋の底面の長方形の頂点となって、図２(ｃ)に示す状態の天面が開いた直方体状の袋となる。この袋へ古紙を収納したのち、直方体の側面の四隅に形成されている切除部１５を４組のミシン目１３において切断して除去することにより、直方体の各側面にテープ１６及び１７が形成されるので、このテープにより収納された古紙を十文字状に結束して図１(ｄ)とほぼ同様な状態とし、回収に寄託することができる。本態様の古紙回収袋に古紙を収納したのちミシン目において切断すると、切除部１５が２本のテープとなって切り離される。切除部は、図２(ｄ)に示すように、２枚のフイルムが下縁溶着線において溶着されたテープである。切除部の下縁溶着線は、古紙回収袋の下縁溶着線と同様に溶着されているので、古紙回収用のプラスチック結束テープとして用いるために十分な強度を有している。また、切除部の長さは、古紙回収袋の側面に形成される十文字状のテープと等しいので、古紙回収用のプラスチック結束テープとして用いるために適度な長さを有している。本発明者により先に発明された古紙回収袋の切除部を、本発明の古紙回収用整理袋のプラスチック結束テープとして用いることにより、該古紙回収袋を全く無駄にすることなく、プラスチック廃棄物を発生させることなく、完全に利用し尽くすことができる。
【０００７】
本発明の古紙回収用整理袋に用いるプラスチック結束テープとして、あらかじめ十文字状に溶着された２本のプラスチック結束テープを用いることができる。図３(ａ)は、本発明の古紙回収用整理袋に用いるプラスチック結束テープの一態様の側面図であり、図３(ｂ)は、そのＣ−Ｃ線切断部端面図であり、図３(ｃ)は、その折り畳みを開いた状態を上方から眺めた部分平面図であり、図３(ｄ)は、その折り畳みを開いた状態を下方から眺めた部分平面図である。本態様のプラスチック結束テープは、１対の重合されたプラスチック結束テープａと、該１対の結束テープａの両側縁１８の間に挟持された１対のＶ字形折りのプラスチック結束テープｂが、折り畳まれた状態でその下縁において幅方向に溶着され、下縁溶着線１９によって４枚のプラスチック結束テープが結合している。また、下縁溶着線より各結束テープの側縁に達する傾斜溶着線２０により、各１枚のプラスチック結束テープａとプラスチック結束テープｂが溶着されている。
本態様のプラスチック結束テープは、テープａとテープｂの上縁２１をもって折り畳みを四方に開くことにより十文字状となる。１対のプラスチック結束テープａは、下縁溶着線１９により相互に溶着され、１対のプラスチック結束テープｂは、傾斜溶着線２０によりプラスチック結束テープａに溶着されているので、結合部は新聞古紙などを結束して取り扱うために必要にして十分な強度を有している。
本態様のプラスチック結束テープの使用に際しては、折り畳みを開いて４枚のプラスチック結合テープを十文字状に広げ、十文字の中心部が古紙回収用整理袋の底面の中央部に位置するように載置し、各テープの端末を古紙回収用整理袋の側面上部の穴に内側から外側に貫通する。古紙回収用整理袋に新聞古紙、古雑誌、段ボール屑などを収納し、古紙が古紙回収用整理袋をほぼ満たしたとき、プラスチック結束テープａ又はｂの一方を穴から引き抜いて古紙の上部で結束し、次いで他方のテープを同様に古紙の上部で結束し、結束された古紙を古紙回収用整理袋から取り出し、図１(ｄ)とほぼ同様な状態として回収に寄託することができる。本態様のプラスチック結束テープは、回収し積層された古紙の上面で結束され、下面で溶着されているので、２本のプラスチック結束テープの間のずれが生じにくく、古紙を安定に結束することができる。
【０００８】
【発明の効果】
本発明の古紙回収用整理袋は、古紙を積層して収納する際に、自然と古紙の位置がそろえられ、１束として結束する古紙の量を決める目安となるので、積層された古紙をきれいな状態で容易に結束することができる。また、古紙をプラスチック結束テープで結束して取り出したのちは、反復再使用することができるので、環境への負荷が少なく、経済的に使用することができる。
本発明の古紙回収用整理袋のプラスチック結束テープとして、側面にミシン目を有する古紙回収袋の切除部を用いることにより、側面にミシン目を有する古紙回収袋から廃棄物を発生させることなく、完全に有効利用することができる。また、あらかじめ十文字状に溶着されたプラスチック結束テープを用いることにより、古紙を安定に結束することができる。
【図面の簡単な説明】
【図１】図１は、本発明の古紙回収用整理袋の一態様の斜視図及び平面図である。
【図２】図２は、古紙回収袋の一態様の側面図、切断部端面図、斜視図及び切除部の平面図である。
【図３】図３は、プラスチック結束テープの一態様の側面図、切断部端面図及び部分平面図である。
【符号の説明】
１  天面が開いた直方体状の袋
２  プラスチック結束テープ
３  プラスチック結束テープ
４  穴
５  古紙
６  側縁
７  ガゼット部
８  下縁溶着線
９  ガゼット部フイルム
１０  袋表面フイルム
１１  ガゼット内折り端
１２  傾斜溶着線
１３  ミシン目
１４  傾斜溶着線と側縁の交点
１５  切除部
１６  テープ
１７  テープ
１８  側縁
１９  下縁溶着線
２０  傾斜溶着線
２１  上縁
【図１】
0004623803.tif 000002
【図２】
0004623803.tif 000003
【図３】
0004623803.tif 000004